(57)【要約】【課題】小型化することができる電子部品ユニット、及び、ワイヤハーネスを提供することを目的とする。【解決手段】電子部品ユニット１、ワイヤハーネスＷＨは、電子部品２が実装される複数の実装部３１、及び、実装部３１より可撓性があり複数の実装部３１を電気的に接続する屈曲部３２を有する基板３と、複数の実装部３１の１つから直線状に立設され電線Ｗとの接続部６と基板３とを電気的に接続する端子４と、屈曲部３２が端子４側に屈曲した状態で基板３を収容する筐体５とを備え、端子４は、複数の実装部３１の１つにおいて屈曲部３２とは反対側に寄って位置し、筐体５内において基板３との間に電子部品２を収容する収容空間部５３を形成することを特徴とする。【選択図】図２
2017022809.tif 000002
【特許請求の範囲】
【請求項１】
電子部品が実装される複数の実装部、及び、前記実装部より可撓性があり前記複数の実装部を電気的に接続する屈曲部を有する基板と、
前記複数の実装部の１つから直線状に立設され電線との接続部と前記基板とを電気的に接続する端子と、
前記屈曲部が前記端子側に屈曲した状態で前記基板を収容する筐体とを備え、
前記端子は、前記複数の実装部の１つにおいて前記屈曲部とは反対側に寄って位置し、前記筐体内において前記基板との間に前記電子部品を収容する収容空間部を形成することを特徴とする、
電子部品ユニット。
【請求項２】
前記筐体は、前記複数の実装部がそれぞれ前記収容空間部を形成する異なる壁面に沿って配置された状態で前記基板を前記収容空間部側に収容すると共に、前記複数の実装部のうち前記端子が立設される前記実装部と対向する位置に形成され前記接続部が嵌合する接続部嵌合部を有し、前記接続部と前記接続部嵌合部との嵌合を解除する解除部が前記収容空間部側に位置する、
請求項１に記載の電子部品ユニット。
【請求項３】
前記複数の実装部は、前記電子部品として電力消費に伴い発熱する発熱部品が実装される第１実装部と、前記電子部品として前記発熱部品より熱に対する耐久性が低い熱脆弱部品が実装される第２実装部とを含み、
前記端子は、前記第１実装部に立設される、
請求項１又は請求項２に記載の電子部品ユニット。
【請求項４】
電線と、
電子部品が実装される複数の実装部、及び、前記実装部より可撓性があり前記複数の実装部を電気的に接続する屈曲部を有する基板と、前記複数の実装部の１つから直線状に立設され前記電線との接続部と前記基板とを電気的に接続する端子と、前記屈曲部が前記端子側に屈曲した状態で前記基板を収容する筐体とを含んで構成される電子部品ユニットとを備え、
前記端子は、前記複数の実装部の１つにおいて前記屈曲部とは反対側に寄って位置し、前記筐体内において前記基板との間に前記電子部品を収容する収容空間部を形成することを特徴とする、
ワイヤハーネス。
【発明の詳細な説明】
【技術分野】
【０００１】
本発明は、電子部品ユニット、及び、ワイヤハーネスに関する。
【背景技術】
【０００２】
車両等に搭載される従来のワイヤハーネスに設けられる電子部品ユニットとして、例えば、特許文献１には、コネクタピンが立設された底部と、該底部の外周に沿ってコネクタピンを包囲するように設けられることにより接続対象のコネクタが挿入されるコネクタ挿入領域を形成する側壁部とを有したコネクタハウジングを備える電子制御装置が開示されている。この電子制御装置は、コネクタハウジングが回路基板を収納するケースの役割を兼ねており、回路基板が可撓性のあるフレキシブル部で折り曲げられることにより当該コネクタハウジングの内部の空間に合わせて収納されると共に、このコネクタハウジングの底部から突出したコネクタピンの後端側と回路基板とが電気的に接続される。
【先行技術文献】
【特許文献】
【０００３】
【特許文献１】特開２００５−１９１１３０号公報
【発明の概要】
【発明が解決しようとする課題】
【０００４】
ところで、上述の特許文献１に記載の電子制御装置は、例えば、小型化の点で更なる改善の余地がある。
【０００５】
本発明は、上記の事情に鑑みてなされたものであって、小型化することができる電子部品ユニット、及び、ワイヤハーネスを提供することを目的とする。
【課題を解決するための手段】
【０００６】
上記目的を達成するために、本発明に係る電子部品ユニットは、電子部品が実装される複数の実装部、及び、前記実装部より可撓性があり前記複数の実装部を電気的に接続する屈曲部を有する基板と、前記複数の実装部の１つから直線状に立設され電線との接続部と前記基板とを電気的に接続する端子と、前記屈曲部が前記端子側に屈曲した状態で前記基板を収容する筐体とを備え、前記端子は、前記複数の実装部の１つにおいて前記屈曲部とは反対側に寄って位置し、前記筐体内において前記基板との間に前記電子部品を収容する収容空間部を形成することを特徴とする。
【０００７】
また、上記電子部品ユニットでは、前記筐体は、前記複数の実装部がそれぞれ前記収容空間部を形成する異なる壁面に沿って配置された状態で前記基板を前記収容空間部側に収容すると共に、前記複数の実装部のうち前記端子が立設される前記実装部と対向する位置に形成され前記接続部が嵌合する接続部嵌合部を有し、前記接続部と前記接続部嵌合部との嵌合を解除する解除部が前記収容空間部側に位置するものとすることができる。
【０００８】
また、上記電子部品ユニットでは、前記複数の実装部は、前記電子部品として電力消費に伴い発熱する発熱部品が実装される第１実装部と、前記電子部品として前記発熱部品より熱に対する耐久性が低い熱脆弱部品が実装される第２実装部とを含み、前記端子は、前記第１実装部に立設されるものとすることができる。
【０００９】
上記目的を達成するために、本発明に係るワイヤハーネスは、電線と、電子部品が実装される複数の実装部、及び、前記実装部より可撓性があり前記複数の実装部を電気的に接続する屈曲部を有する基板と、前記複数の実装部の１つから直線状に立設され前記電線との接続部と前記基板とを電気的に接続する端子と、前記屈曲部が前記端子側に屈曲した状態で前記基板を収容する筐体とを含んで構成される電子部品ユニットとを備え、前記端子は、前記複数の実装部の１つにおいて前記屈曲部とは反対側に寄って位置し、前記筐体内において前記基板との間に前記電子部品を収容する収容空間部を形成することを特徴とする。
【発明の効果】
【００１０】
本発明に係る電子部品ユニット、及び、ワイヤハーネスは、複数の実装部が屈曲部を介して接続されると共に当該屈曲部が屈曲した状態で基板を筐体に収容することができるのでユニット全体を低背化することができる。そして、電子部品ユニット、及び、ワイヤハーネスは、電線との接続部と基板とを接続する端子が複数の実装部の１つから直線状に立設されると共に当該端子が実装部において屈曲部とは反対側に寄せられて位置することで、筐体内の端子と基板との間の空間を、実装部に実装された電子部品を収容するための収容空間部として有効に利用することができるので、筐体内の電子部品を高密度化し省スペース化することができる。この結果、電子部品ユニット、及び、ワイヤハーネスは、小型化することができる、という効果を奏する。
【図面の簡単な説明】
【００１１】
【図１】図１は、実施形態に係る電子部品ユニットの概略構成を表す斜視図である。
【図２】図２は、実施形態に係る電子部品ユニットの概略構成を表す分解斜視図である。
【図３】図３は、実施形態に係る電子部品ユニットの概略構成を表す分解斜視図である。
【図４】図４は、実施形態に係る電子部品ユニットの概略構成を表す分解斜視図である。
【図５】図５は、実施形態に係る電子部品ユニットのカバーを外した状態を表す分解斜視図である。
【図６】図６は、図１に示すＡ−Ａ断面図である。
【発明を実施するための形態】
【００１２】
以下に、本発明に係る実施形態を図面に基づいて詳細に説明する。なお、この実施形態によりこの発明が限定されるものではない。また、下記実施形態における構成要素には、当業者が置換可能かつ容易なもの、あるいは実質的に同一のものが含まれる。
【００１３】
［実施形態］
図１は、実施形態に係る電子部品ユニットの概略構成を表す斜視図である。図２、図３、図４は、実施形態に係る電子部品ユニットの概略構成を表す分解斜視図である。図５は、実施形態に係る電子部品ユニットのカバーを外した状態を表す分解斜視図である。図６は、図１に示すＡ−Ａ断面図（短辺方向に沿った断面図）である。なお、わかり易くするために、図１、図２、図３は、電線を二点鎖線で図示し、図４、図５、図６は、電線の図示を省略している。また、後述する電源入力用コネクタ、電源出力用コネクタ、制御信号用コネクタは、簡略化のため、端子挿入孔等の一部の要素の図示を省略している。
【００１４】
図１、図２、図３、図４、図５、図６に示す本実施形態に係る電子部品ユニット１は、自動車等の車両に搭載される電気接続箱１００（図１参照）に対して脱着可能に組み付けられる電子部品モジュールを構成するものである。ここで、電気接続箱１００は、自動車等の車両に搭載され、ワイヤハーネスＷＨに組み込まれ、電線等の接続処理用部品を構成するコネクタ、ヒューズ、リレー、コンデンサ、分岐部、電子制御ユニット等の電装品を集約して内部に収容するものである。ワイヤハーネスＷＨは、例えば、車両に搭載される各装置間の接続のために、電源供給や信号通信に用いられる複数の電線Ｗを束にして集合部品とし、コネクタ等で複数の電線Ｗを一度に各装置に接続するようにしたものである。ワイヤハーネスＷＨは、複数の電線Ｗと、当該電線Ｗと電気的に接続される電子部品ユニット１を含む電気接続箱１００とを備える。電線Ｗは、例えば、複数の導電性の金属素線を撚り合わせた導体部（芯線）と、当該導体部の外側を覆う絶縁性の被覆部とを含んで構成される。ワイヤハーネスＷＨは、複数の電線Ｗを束ねて集約すると共に、束ねられた電線Ｗの端部に接続部としてのコネクタ６等を介して電気接続箱１００が電気的に接続される。ワイヤハーネスＷＨは、この他、さらに、グロメット、プロテクタ、固定具等を含んで構成されてもよい。電気接続箱１００は、例えば、車両のエンジンコンパートメント（エンジンルーム）や車両室内に設置され、バッテリ等の電源と、車両内に搭載される各種電子機器との間に接続され、電源から供給された電力を車両内の各種電子機器に分配する。電気接続箱１００は、ジャンクションボックス、ヒューズボックス、リレーボックスなどとも呼ばれる場合があるが、本実施形態ではこれらを総称して電気接続箱と呼ぶ。電気接続箱１００の内部に組み込まれる本実施形態の電子部品ユニット１は、車両に搭載されるバッテリ等の電源と、車両に搭載される各種の電子機器との間に接続され、当該各種の電子機器に対して電源分配するいわゆるパワーインテグレーションを構成する。
【００１５】
以下、電子部品ユニット１の各構成について具体的に説明する。なお、以下の説明で用いる各方向は、特に断りの無い限り、ワイヤハーネスＷＨが車両に搭載された状態での方向として説明する。またここでは、以下の説明を分かり易くするために、便宜的に互いに交差する第１方向、第２方向、及び、第３方向のうち、第１方向を「高さ方向」といい、第２方向を「短辺方向」といい、第３方向を「長辺方向」という。第１方向としての高さ方向と第２方向としての短辺方向と第３方向としての長辺方向とは、相互に直交する。
【００１６】
本実施形態の電子部品ユニット１は、電子部品２と、基板３と、端子４と、筐体５とを備える。
【００１７】
電子部品２は、基板３に実装されるものであり、ここでは、種々の機能を発揮する素子である。電子部品２は、例えば、コンデンサ、リレー、抵抗、トランジスタ、ＩＰＳ（Ｉｎｔｅｌｌｉｇｅｎｔ  Ｐｏｗｅｒ  Ｓｗｉｔｃｈ）、マイコンを含む電子制御ユニット等である。ここでは、電子部品２は、例えば、電力消費に伴い発熱する発熱部品２１と、発熱部品２１より熱に対する耐久性が低い熱脆弱部品２２とを含んで構成される。発熱部品２１は、典型的には、熱脆弱部品２２より発熱しやすく熱脆弱部品２２より熱に対する耐久性が高い電子部品２であり、例えば、電源分配にかかわるリレー、トランジスタ、ＩＰＳ等の電源分配系の電子部品２である。熱脆弱部品２２は、典型的には、発熱部品２１より発熱しにくく発熱部品２１より熱に対する耐久性が低い電子部品２であり、例えば、制御にかかわるマイコン等の制御系の電子部品２である。なお、以下の説明では、発熱部品２１、熱脆弱部品２２を特に区別して説明する必要がない場合には、単に電子部品２という。
【００１８】
基板３は、種々の電子部品２が実装され、これらを電気的に接続する電子回路を構成するものであり、ここでは、いわゆるリジッドフレキシブルプリント回路基板（Ｒｉｇｉｄ  Ｆｌｅｘｉｂｌｅ  Ｐｒｉｎｔｅｄ  Ｃｉｒｃｕｉｔ  Ｂｏａｒｄ）である。基板３は、例えば、エポキシ樹脂、ガラスエポキシ樹脂、紙エポキシ樹脂やセラミック等の絶縁性の材料からなる絶縁層に銅等の導電性の材料によって配線パターン（プリントパターン）が印刷されている。基板３は、配線パターンが印刷された絶縁層を複数枚積層させ多層化されたもの（すなわち、多層基板）であってもよい。
【００１９】
本実施形態の基板３は、電子部品２が実装される複数の実装部としての複数のリジッド部３１、及び、リジッド部３１より可撓性があり複数のリジッド部３１を電気的に接続する屈曲部としてのフレキシブル部３２を有し、複数のリジッド部３１とフレキシブル部３２とが一体化されたものである。各リジッド部３１は、フレキシブル部３２より屈曲しにくい程度に高い剛性を有している。各リジッド部３１は、電子部品２のリード線や端子４が配線パターンにハンダ付け等によって電気的に接続される。一方、フレキシブル部３２は、リジッド部３１より屈曲しやすい程度に高い可撓性を有している。フレキシブル部３２は、複数のリジッド部３１のうち隣接するリジッド部３１の間に設けられ、これらを相互に電気的に接続する。フレキシブル部３２は、銅等の導電性の材料によって構成される配線パターンを介して複数のリジッド部３１を電気的に接続する。基板３は、例えば、リジッド部３１とフレキシブル部３２とで絶縁層の材料を異ならせたり、フレキシブル部３２に相当する部分の絶縁層の積層枚数を少なくしたり、フレキシブル部３２に相当する部分の絶縁層の一部を切削し厚みを薄くしたりすることによってリジッド部３１より可撓性を有するフレキシブル部３２を形成することができる。
【００２０】
より詳細には、本実施形態の複数のリジッド部３１は、第１実装部としての電源系リジッド部３３と、第２実装部としての制御系リジッド部３４の２つを含んで構成される。電源系リジッド部３３、制御系リジッド部３４は、ともに長方形板状に形成される。電源系リジッド部３３、制御系リジッド部３４は、ほぼ同等の形状、大きさに形成される。ここでは、電源系リジッド部３３、制御系リジッド部３４は、ともに表裏両側の主面が電子部品２を実装するための実装面３３ａ、３４ａを構成するがこれに限らない。そして、電源系リジッド部３３は、各実装面３３ａに、主としてリレー、トランジスタ、ＩＰＳ等の電源分配系の電子部品２である発熱部品２１が実装される。一方、制御系リジッド部３４は、各実装面３４ａに、主としてマイコン等の制御系の電子部品２である熱脆弱部品２２が実装される。発熱部品２１、熱脆弱部品２２は、それぞれ各実装面３３ａ、３４ａに対してハンダ付け等によって固定され、各実装面３３ａ、３４ａの配線パターンと電気的に接続される。なお、以下の説明では、電源系リジッド部３３、制御系リジッド部３４を特に区別して説明する必要がない場合には、単にリジッド部３１という。
【００２１】
そして、本実施形態のフレキシブル部３２は、複数のリジッド部３１として、電源系リジッド部３３と制御系リジッド部３４とを電気的に接続する。本実施形態の基板３は、電源系リジッド部３３と制御系リジッド部３４とが互いの一方の長辺が対向する位置関係で長辺と直交する方向に間隔をあけて並んで位置すると共に、長辺と直交する方向に対する電源系リジッド部３３と制御系リジッド部３４との間にフレキシブル部３２が介在する。つまり、フレキシブル部３２は、電源系リジッド部３３の一方の長辺と制御系リジッド部３４の一方の長辺とを、長辺と直交する方向に沿って接続する。フレキシブル部３２は、長辺方向に沿って延在し、ここでは、電源系リジッド部３３、制御系リジッド部３４の長辺よりもやや短く形成される。そして、フレキシブル部３２は、上述したように可撓性を有しており、長辺方向に沿った屈曲軸周りに電源系リジッド部３３と制御系リジッド部３４とが折り重ねられる方向に屈曲可能である。基板３は、後述するように、フレキシブル部３２が屈曲した状態、より詳細には、電源系リジッド部３３と制御系リジッド部３４とがほぼ垂直となるようにフレキシブル部３２が折り曲げられた状態で筐体５内に収容される。
【００２２】
端子４は、複数のリジッド部３１の１つから直線状に立設され電線Ｗとの接続部であるコネクタ６と基板３とを電気的に接続するものである。端子４は、複数設けられる。各端子４は、導電性の金属材料によって構成される。各端子４は、外形寸法が異なったり、端部が二又や三又に分かれたりするものが含まれるが、基本的には直線棒状に形成される。ここでは、複数の端子４は、後述するコネクタ６として電源入力用コネクタ６１と電気的に接続される端子４１と、コネクタ６として電源出力用コネクタ６２と電気的に接続される端子４２と、コネクタ６として制御信号用コネクタ６３と電気的に接続される端子４３とを含んで構成される。端子４１は、端部が三又に分かれたものが１つ設けられる。端子４２は、端部が二又に分かれたものが長辺方向に並んで２つ設けられる。端子４３は、端部が分かれていないものが長辺方向、及び、短辺方向に並んで１９個設けられる。なお、以下の説明では、端子４１、４２、４３を特に区別して説明する必要がない場合には、単に端子４という。
【００２３】
本実施形態の各端子４は、複数のリジッド部３１のうち、電源系リジッド部３３だけに立設される。各端子４は、電源系リジッド部３３の一方の実装面３３ａに対してほぼ垂直に直線状に立設される。つまり、各端子４は、基板３が後述する筐体５に収容された状態で短辺方向、及び、長辺方向に直交する高さ方向に沿って実装面３３ａから突出し延在する。各端子４は、それぞれ実装面３３ａにおいて配線パターンが形成された部分に設けられたスルーホール３３ｂ（図２、図３、図４等参照）に、実装面３３ａの一方側から端部が挿入され、当該実装面３３ａに対してハンダ付け等によって固定され、実装面３３ａの配線パターンと電気的に接続される。また、各端子４は、基板３が後述する筐体５に収容された状態で他方の端部が後述するコネクタ嵌合部５１ｈ、５１ｉ、５１ｊ内に露出し、当該コネクタ嵌合部５１ｈ、５１ｉ、５１ｊに嵌合されるコネクタ６と電気的に接続される。
【００２４】
筐体５は、基板３を収容するものである。ここでは、筐体５は、フレキシブル部３２が端子４側に屈曲した状態で基板３を収容する。本実施形態の筐体５は、基板３、端子４や電線Ｗとの接続部を構成するコネクタ６が組み付けられる本体部としてのコネクタブロック５１と、コネクタブロック５１に組み付けられた基板３、端子４等を覆う蓋部材としてのカバー５２とを有する。コネクタブロック５１、カバー５２は、ともに絶縁性の合成樹脂によって形成される。筐体５は、コネクタブロック５１とカバー５２とによって区画された内部に基板３が組み付けられ、当該基板３を収容する。
【００２５】
コネクタブロック５１は、底部５１ａと、側壁部５１ｂ、５１ｃと、支柱部５１ｄ、５１ｅ、５１ｆ、５１ｇと、接続部嵌合部としてのコネクタ嵌合部５１ｈ、５１ｉ、５１ｊと、ブラケット部５１ｋ、５１ｌとを有し、これらが一体で形成される。
【００２６】
底部５１ａは、短辺方向に沿った辺が短辺、長辺方向に沿った辺が長辺となる長方形板状に形成される底体である。底部５１ａは、電源系リジッド部３３よりやや大きい長方形板状に形成される。底部５１ａは、肉抜き孔等が形成されている。
【００２７】
側壁部５１ｂ、５１ｃは、底部５１ａの短辺から高さ方向に沿って垂直に立設される壁体である。側壁部５１ｂ、５１ｃは、長方形板状に形成され、底部５１ａの短辺の短辺方向の一方の端部から他方の端部まで延在する。側壁部５１ｂと側壁部５１ｃとは、長辺方向に沿って対向する。
【００２８】
支柱部５１ｄ、５１ｅ、５１ｆ、５１ｇは、底部５１ａの４隅からそれぞれ１つずつ高さ方向に沿って垂直に立設される柱状体である。支柱部５１ｄ、５１ｅ、５１ｆ、５１ｇは、それぞれ相互に形状が若干異なっているが、高さ方向に沿って突出するように形成される。ここでは、支柱部５１ｄと支柱部５１ｅとは、それぞれ側壁部５１ｂの短辺方向の両端部から高さ方向に沿って突出するように形成される。支柱部５１ｄと支柱部５１ｅとは、短辺方向に沿って対向する。支柱部５１ｆと支柱部５１ｇとは、それぞれ側壁部５１ｃの短辺方向の両端部から高さ方向に沿って突出するように形成される。支柱部５１ｆと支柱部５１ｇとは、短辺方向に沿って対向する。また、支柱部５１ｄと支柱部５１ｆとは、底部５１ａの同じ側の長辺に形成されており、長辺方向に沿って対向する。支柱部５１ｅと支柱部５１ｇとは、底部５１ａの支柱部５１ｄ、５１ｆとは反対側の長辺に形成されており、長辺方向に沿って対向する。
【００２９】
コネクタ嵌合部５１ｈ、５１ｉ、５１ｊは、電線Ｗとの接続部であるコネクタ６が嵌合する部分である。ここでは、コネクタ６は、電線Ｗを介して電源を入力するための電源入力用コネクタ６１と、電線Ｗを介して電源を出力するための電源出力用コネクタ６２と、電線Ｗを介して制御信号を授受するための制御信号用コネクタ６３とを含んで構成される。コネクタ嵌合部５１ｈは、電源入力用コネクタ６１が嵌合するものであり、コネクタ嵌合部５１ｉは、電源出力用コネクタ６２が嵌合するものであり、コネクタ嵌合部５１ｊは、制御信号用コネクタ６３が嵌合するものである。ここでは、電源入力用コネクタ６１、電源出力用コネクタ６２、制御信号用コネクタ６３は、例えば、いわゆる垂直コネクタを用いる。
【００３０】
コネクタ嵌合部５１ｈ、５１ｉ、５１ｊは、筐体５内に基板３が収容された状態で複数のリジッド部３１のうち端子４が立設される電源系リジッド部３３と高さ方向に沿って対向する位置に形成される。より詳細には、コネクタ嵌合部５１ｈは、筐体５内に基板３が収容された状態で電源系リジッド部３３において端子４１が立設される領域と高さ方向に沿って対向する位置に形成される。コネクタ嵌合部５１ｉは、筐体５内に基板３が収容された状態で電源系リジッド部３３において端子４２が立設される領域と高さ方向に沿って対向する位置に形成される。コネクタ嵌合部５１ｊは、筐体５内に基板３が収容された状態で電源系リジッド部３３において端子４３が立設される領域と高さ方向に沿って対向する位置に形成される。ここでは、コネクタ嵌合部５１ｈ、５１ｉ、５１ｊは、底部５１ａに形成される突出部壁状部５１ｍに形成される。突出部壁状部５１ｍは、底部５１ａから高さ方向に沿って側壁部５１ｂ、５１ｃ、支柱部５１ｄ、５１ｅ、５１ｆ、５１ｇの突出側と同じ側に突出する壁体である。突出部壁状部５１ｍは、略直方体中空状に形成され、底部５１ａの支柱部５１ｅ、５１ｇ側の長辺の縁部に、長辺方向に沿って延在する。コネクタ嵌合部５１ｈ、５１ｉ、５１ｊは、この突出部壁状部５１ｍの突出側とは反対側の中空状の部分に凹部として形成される。コネクタ嵌合部５１ｈは、電源入力用コネクタ６１が嵌合可能な形状、大きさの凹部として形成される。コネクタ嵌合部５１ｉは、電源出力用コネクタ６２が嵌合可能な形状、大きさの凹部として形成される。コネクタ嵌合部５１ｊは、制御信号用コネクタ６３が嵌合可能な形状、大きさの凹部として形成される。また、突出部壁状部５１ｍは、高さ方向の先端面、すなわち、筐体５内に基板３が収容された状態で電源系リジッド部３３と高さ方向に沿って対向する面に端子挿入孔（キャビティともいう。）５１ｍａ（図６参照）が形成されている。上述の各端子４は、筐体５内に基板３が収容された状態で、一方の端部が当該端子挿入孔５１ｍａを貫通してコネクタ嵌合部５１ｈ、５１ｉ、５１ｊ内に露出する。ここでは、端子４１は、突出部壁状部５１ｍの端子挿入孔５１ｍａを介してコネクタ嵌合部５１ｈ内に露出する。端子４２は、突出部壁状部５１ｍの端子挿入孔５１ｍａを介してコネクタ嵌合部５１ｉ内に露出する。端子４３は、突出部壁状部５１ｍの端子挿入孔５１ｍａを介してコネクタ嵌合部５１ｊ内に露出する。電源入力用コネクタ６１は、コネクタ嵌合部５１ｈに嵌合することでコネクタ嵌合部５１ｈ内に露出した端子４１と電気的に接続される。電源出力用コネクタ６２は、コネクタ嵌合部５１ｉに嵌合することでコネクタ嵌合部５１ｉ内に露出した端子４２と電気的に接続される。制御信号用コネクタ６３は、コネクタ嵌合部５１ｊに嵌合することでコネクタ嵌合部５１ｊ内に露出した端子４３と電気的に接続される。なお、以下の説明では、電源入力用コネクタ６１、電源出力用コネクタ６２、制御信号用コネクタ６３を特に区別して説明する必要がない場合には、単にコネクタ６という。
【００３１】
ブラケット部５１ｋ、５１ｌは、筐体５を車両の車体等に固定するためのものである。ブラケット部５１ｋ、５１ｌは、底部５１ａの支柱部５１ｅ、５１ｇ側の長辺、すなわち、突出部壁状部５１ｍが設けられる側の長辺から外側に向けて板状に突出し先端部が円弧状に形成されると共に締結孔５１ｎ、５１ｏが形成される。ここでは、ブラケット部５１ｋは、支柱部５１ｅ側の端に形成され、ブラケット部５１ｌは、支柱部５１ｇ側の端に形成される。締結孔５１ｎ、５１ｏは、高さ方向に貫通している。筐体５は、当該締結孔５１ｎ、５１ｏにボルト等の締結部材が挿入され車体側の固定部に締結されることで、当該ブラケット部５１ｋ、５１ｌが車体側の固定部に固定される。
【００３２】
上記のように構成されるコネクタブロック５１は、突出部壁状部５１ｍの先端面に形成された端子挿入孔５１ｍａ（図６参照）に各端子４の一端部が挿入、保持されコネクタ嵌合部５１ｈ、５１ｉ、５１ｊ内に露出した状態で、各端子４の他端部が電源系リジッド部３３のスルーホール３３ｂ（図２、図３、図４等参照）に挿入されハンダ付けされる。この状態で、基板３は、電源系リジッド部３３が突出部壁状部５１ｍと高さ方向に沿って対向し当該電源系リジッド部３３の長辺が長辺方向に沿い短辺が短辺方向に沿うと共に、フレキシブル部３２が支柱部５１ｄ、５１ｆ側の長辺に沿うような位置関係で電源系リジッド部３３がコネクタブロック５１に組み付けられる。この場合、基板３は、電源系リジッド部３３のフレキシブル部３２側とは反対側の一方の角部に形成された位置決め孔５１ｐに支柱部５１ｅの先端に形成された位置決め突起部５１ｑが挿入されることで位置決めされる。そして、基板３は、電源系リジッド部３３のフレキシブル部３２側の両角部に形成されたネジ孔５１ｒ、５１ｓにネジ７１、７２が挿入され、当該ネジ７１、７２が支柱部５１ｄ、５１ｆの先端に形成された締結孔５１ｔ、５１ｕに締結されることで支柱部５１ｄ、５１ｅ、５１ｆ、５１ｇ上に固定される。そして、基板３は、フレキシブル部３２が端子４側に屈曲され、すなわち、電源系リジッド部３３に対して制御系リジッド部３４が支柱部５１ｄ、５１ｆ側に折り曲げられる。基板３は、電源系リジッド部３３と制御系リジッド部３４とがほぼ垂直となるようにフレキシブル部３２が折り曲げられ、制御系リジッド部３４の長辺が長辺方向に沿い短辺が高さ方向に沿うような位置関係で制御系リジッド部３４がコネクタブロック５１に組み付けられる。つまり、基板３は、フレキシブル部３２が屈曲することで、短辺方向に沿った断面視（図６参照）にて全体として略Ｌ字型に構成される。この場合、基板３は、制御系リジッド部３４のフレキシブル部３２側とは反対側の両角部に形成されたネジ孔５１ｖ、５１ｗにネジ７３、７４が挿入され、当該ネジ７３、７４が支柱部５１ｄ、５１ｆの基端部（言い換えれば、側壁部５１ｂ、５１ｃの側面側の基端部）に形成された締結孔５１ｘ、５１ｙに締結されることで支柱部５１ｄ、５１ｆの側方に固定される。このようにして、基板３は、電源系リジッド部３３と制御系リジッド部３４とがほぼ垂直となるようにフレキシブル部３２が折り曲げられた状態でコネクタブロック５１に組み付けられる。この状態で、基板３は、電源系リジッド部３３が高さ方向と直交する方向に沿い、制御系リジッド部３４が短辺方向と直交する方向に沿うと共に、電源系リジッド部３３が突出部壁状部５１ｍと高さ方向に沿って対向し、制御系リジッド部３４が支柱部５１ｄ、５１ｆの短辺方向の外側側方に位置する位置関係となる。
【００３３】
カバー５２は、コネクタブロック５１に組み付けられた基板３等をコネクタブロック５１とは反対側から覆うものである。カバー５２は、略ロの字型に形成された壁体としての矩形枠状部５２ａと、当該矩形枠状部５２ａの一方の開口を閉塞する天井部５２ｂとを含んで構成される。天井部５２ｂは、短辺方向に沿った辺が短辺、長辺方向に沿った辺が長辺となる長方形板状に形成される天井体である。天井部５２ｂは、底部５１ａよりやや大きい長方形板状に形成される。矩形枠状部５２ａは、天井部５２ｂの縁部に立設されるようにして形成される。矩形枠状部５２ａは、天井部５２ｂの長辺方向に沿った一対の長辺側壁面５２ｃ、５２ｄと、天井部５２ｂの短辺方向に沿った一対の短辺側壁面５２ｅ、５２ｆとを含んで形成される。カバー５２は、当該矩形枠状部５２ａ、及び、天井部５２ｂによって一端が開口し他端が閉塞した矩形筒状に形成される。カバー５２は、コネクタブロック５１に組み付けられた基板３等をコネクタブロック５１とは反対側から覆うような位置関係で、コネクタブロック５１に対して装着される。カバー５２は、コネクタブロック５１に装着された状態で、矩形枠状部５２ａを構成する長辺側壁面５２ｃ、５２ｄ、短辺側壁面５２ｅ、５２ｆがコネクタブロック５１の側壁部５１ｂ、５１ｃや支柱部５１ｄ、５１ｅ、５１ｆ、５１ｇ、制御系リジッド部３４の外側に位置する。カバー５２は、コネクタブロック５１に装着された状態で、種々の係止機構を介してコネクタブロック５１に係止される。ここでは、カバー５２は、カバー５２側の短辺側壁面５２ｅ、５２ｆに設けられた係止凹部５２ｇと、コネクタブロック５１側の側壁部５１ｂ、５１ｃに設けられた爪部５１ｚが係合することで、コネクタブロック５１に係止され、当該コネクタブロック５１に着脱可能に組み付けられる。
【００３４】
筐体５は、上記のように構成されることでフレキシブル部３２が端子４側に屈曲した状態で基板３を収容する。より詳細には、筐体５は、複数のリジッド部３１がそれぞれ筐体５の内部空間部を形成する異なる壁面に沿って配置された状態で、コネクタブロック５１とカバー５２とによって区画される内部空間部側に基板３を収容する（図６等参照）。ここでは、筐体５は、複数のリジッド部３１のうち電源系リジッド部３３がカバー５２の天井部５２ｂに沿って配置され、複数のリジッド部３１のうち制御系リジッド部３４がカバー５２の長辺側壁面５２ｃに沿って配置された状態で基板３を内部空間部側に収容する。基板３は、筐体５内に収容された状態で、電源系リジッド部３３が高さ方向に沿って天井部５２ｂと対向し、制御系リジッド部３４が短辺方向に沿って長辺側壁面５２ｃと対向する。
【００３５】
そして、本実施形態の各端子４は、複数のリジッド部３１の１つ、ここでは電源系リジッド部３３において外側に寄って位置して設けられることで、上記のように構成される筐体５内の空間の有効利用や省スペース化を図り、ユニットを小型化することができるレイアウトとしている。
【００３６】
具体的には、各端子４は、電源系リジッド部３３においてフレキシブル部３２とは反対側に寄って位置する（図２、図５、図６等参照）。すなわち、各端子４の一端部が挿入されるスルーホール３３ｂは、電源系リジッド部３３においてフレキシブル部３２とは反対側に寄って位置する。ここで、電源系リジッド部３３においてフレキシブル部３２とは反対側に寄って位置するという場合、複数の端子４の大部分がフレキシブル部３２とは反対側に位置している場合を含む。ここでは、複数の端子４、スルーホール３３ｂは、典型的には、大部分が電源系リジッド部３３の中央位置Ｃ（ここでは、短辺方向の中央位置（図５、図６等参照））よりフレキシブル部３２とは反対側の端、すなわち、フレキシブル部３２、制御系リジッド部３４とは反対側の外端に寄って位置する。
【００３７】
そして、各端子４は、電源系リジッド部３３においてフレキシブル部３２とは反対側に寄って位置することで、筐体５内において基板３との間に電子部品２を収容する収容空間部５３を形成する（図２、図６等参照）。収容空間部５３は、コネクタブロック５１とカバー５２とによって区画される筐体５の内部空間部において、短辺方向（電源系リジッド部３３とフレキシブル部３２とが並ぶ方向）に対して各端子４よりフレキシブル部３２側で、筐体５の壁面、ここでは、天井部５２ｂ、長辺側壁面５２ｃ、短辺側壁面５２ｅ、５２ｆ等によって形成される。言い換えれば、この収容空間部５３は、コネクタブロック５１とカバー５２とによって区画される筐体５の内部空間部において、コネクタ嵌合部５１ｈ、５１ｉ、５１ｊを形成する壁体である突出部壁状部５１ｍと天井部５２ｂ、長辺側壁面５２ｃ、短辺側壁面５２ｅ、５２ｆ等との間に区画される。ここでは、収容空間部５３は、短辺方向に沿った断面視（図６参照）にて略Ｌ字型断面の空間部として形成される。リジッド部３１に実装される電子部品２、ここでは、電源系リジッド部３３に実装される発熱部品２１、制御系リジッド部３４に実装される熱脆弱部品２２は、この収容空間部５３内に収容される。
【００３８】
また、本実施形態の電子部品ユニット１は、コネクタ６とコネクタ嵌合部５１ｈ、５１ｉ、５１ｊとの嵌合を解除する解除部としてのロック解除部６１ａ、６２ａ、６３ａが収容空間部５３側に位置する（図２、図６等参照）。ここでは、ロック解除部６１ａは、電源入力用コネクタ６１に設けられるアーム状の部材であり、電源入力用コネクタ６１がコネクタ嵌合部５１ｈに嵌合した状態で収容空間部５３側に位置すると共に先端部がコネクタ嵌合部５１ｈから露出する。ロック解除部６１ａは、指等でつままれることで撓み、電源入力用コネクタ６１とコネクタ嵌合部５１ｈとの嵌合状態を解除し、当該電源入力用コネクタ６１をコネクタ嵌合部５１ｈから抜き取り可能とする。ロック解除部６２ａは、電源出力用コネクタ６２に設けられるアーム状の部材であり、電源出力用コネクタ６２がコネクタ嵌合部５１ｉに嵌合した状態で収容空間部５３側に位置すると共に先端部がコネクタ嵌合部５１ｉから露出する。ロック解除部６２ａは、指等でつままれることで撓み、電源出力用コネクタ６２とコネクタ嵌合部５１ｉとの嵌合状態を解除し、当該電源出力用コネクタ６２をコネクタ嵌合部５１ｉから抜き取り可能とする。ロック解除部６３ａは、制御信号用コネクタ６３に設けられるアーム状の部材であり、制御信号用コネクタ６３がコネクタ嵌合部５１ｊに嵌合した状態で収容空間部５３側に位置すると共に先端部がコネクタ嵌合部５１ｊから露出する。ロック解除部６３ａは、指等でつままれることで撓み、制御信号用コネクタ６３とコネクタ嵌合部５１ｊとの嵌合状態を解除し、当該制御信号用コネクタ６３をコネクタ嵌合部５１ｊから抜き取り可能とする。言い換えれば、ロック解除部６１ａ、６２ａ、６３ａは、筐体５内に基板３が収容された状態で、制御系リジッド部３４側を向いて位置する。ここでは、ロック解除部６１ａ、６２ａ、６３ａは、制御系リジッド部３４に実装され収容空間部５３に位置する電子部品２である熱脆弱部品２２と短辺方向に沿って対面する。
【００３９】
以上で説明した電子部品ユニット１によれば、電子部品２が実装される複数のリジッド部３１、及び、リジッド部３１より可撓性があり複数のリジッド部３１を電気的に接続するフレキシブル部３２を有する基板３と、複数のリジッド部３１の１つから直線状に立設され電線Ｗとのコネクタ６と基板３とを電気的に接続する端子４と、フレキシブル部３２が端子４側に屈曲した状態で基板３を収容する筐体５とを備え、端子４は、複数のリジッド部３１の１つにおいてフレキシブル部３２とは反対側に寄って位置し、筐体５内において基板３との間に電子部品２を収容する収容空間部５３を形成する。また、以上で説明したワイヤハーネスＷＨによれば、電線Ｗと、上記電子部品ユニット１とを備える。
【００４０】
したがって、電子部品ユニット１、ワイヤハーネスＷＨは、複数のリジッド部３１がフレキシブル部３２を介して接続されると共に当該フレキシブル部３２が屈曲した状態で基板３を筐体５に収容することができるのでユニット全体を低背化することができる。そして、電子部品ユニット１、ワイヤハーネスＷＨは、電線Ｗとのコネクタ６と基板３とを接続する端子４が複数のリジッド部３１の１つから直線状に立設されると共に当該端子４がリジッド部３１においてフレキシブル部３２とは反対側に寄せられて位置することで、筐体５内の端子４と基板３との間の空間を、リジッド部３１に実装された電子部品２を収容するための収容空間部５３として有効に利用することができるので、筐体５内の電子部品２を高密度化し省スペース化することができる。この結果、電子部品ユニット１、ワイヤハーネスＷＨは、小型化することができる。
【００４１】
また、電子部品ユニット１、ワイヤハーネスＷＨは、各端子４が複数のリジッド部３１の１つから直線状に立設されることから、例えば、端子４がＬ字型に屈曲するような場合と比較して、可能な限り端子４を共用化することができ、必要とする端子４の形状種類の数を抑制することができる。また、電子部品ユニット１、ワイヤハーネスＷＨは、各端子４をリジッド部３１に対して垂直にすることができるので、例えば、端子４がＬ字型に屈曲するような場合と比較して、全長を短くすることができ、コスト抑制や軽量化を図ることができる。これにより、電子部品ユニット１、ワイヤハーネスＷＨは、例えば、製造コストを抑制することができる。
【００４２】
さらに、以上で説明した電子部品ユニット１、ワイヤハーネスＷＨによれば、筐体５は、複数のリジッド部３１がそれぞれ収容空間部５３を形成する異なる壁面、ここでは、天井部５２ｂ、長辺側壁面５２ｃに沿って配置された状態で基板３を収容空間部５３側に収容すると共に、複数のリジッド部３１のうち端子４が立設されるリジッド部３１と対向する位置に形成されコネクタ６が嵌合するコネクタ嵌合部５１ｈ、５１ｉ、５１ｊを有し、コネクタ６とコネクタ嵌合部５１ｈ、５１ｉ、５１ｊとの嵌合を解除するロック解除部６１ａ、６２ａ、６３ａが収容空間部５３側に位置する。したがって、電子部品ユニット１、ワイヤハーネスＷＨは、ロック解除部６１ａ、６２ａ、６３ａの向きを筐体５の内側になるようにレイアウトすることで、筐体５の空間をさらに有効に利用することができ、言い換えれば、ロック解除部６１ａ、６２ａ、６３ａを介した解除操作に要する空間を効率的に確保した上で、電子部品２をより高密度に配置することができる。この結果、電子部品ユニット１、ワイヤハーネスＷＨは、さらに小型化することができる。また、電子部品ユニット１、ワイヤハーネスＷＨは、ロック解除部６１ａ、６２ａ、６３ａの向きを筐体５の内側になるようにレイアウトすることで、ロック解除部６１ａ、６２ａ、６３ａが筐体５の外側の他の部品等にあたって誤ってコネクタ６とコネクタ嵌合部５１ｈ、５１ｉ、５１ｊとの嵌合が解除されてしまうことを抑制することができる。
【００４３】
さらに、以上で説明した電子部品ユニット１、ワイヤハーネスＷＨによれば、複数のリジッド部３１は、電子部品２として電力消費に伴い発熱する発熱部品２１が実装される電源系リジッド部３３と、電子部品２として発熱部品２１より熱に対する耐久性が低い熱脆弱部品２２が実装される制御系リジッド部３４とを含み、端子４は、電源系リジッド部３３に立設される。したがって、電子部品ユニット１、ワイヤハーネスＷＨは、電力が入出力される端子４や発熱しやすい発熱部品２１を電源系リジッド部３３に設ける一方、熱に対する耐久性が低い熱脆弱部品２２を制御系リジッド部３４に設けることで、主な発熱源が設けられる領域と熱に弱い部品が設けられる領域とを基板３上で分割して区分け（ゾーニング）することができる。このとき、電子部品ユニット１、ワイヤハーネスＷＨは、電源系リジッド部３３と制御系リジッド部３４との間にフレキシブル部３２が介在することで、電源系リジッド部３３で発生した熱を当該フレキシブル部３２によって制御系リジッド部３４に伝わりにくくすることができる。この結果、電子部品ユニット１、ワイヤハーネスＷＨは、電源系リジッド部３３に設けられた発熱部品２１で発生した熱によって、制御系リジッド部３４に設けられた熱脆弱部品２２が熱干渉を受けることを抑制することができる。これにより、電子部品ユニット１、ワイヤハーネスＷＨは、例えば、熱脆弱部品２２の寿命を向上することができ、逆に言えば、熱脆弱部品２２としてより熱に対する耐久性が低い安価なものを用いることができる。つまり、電子部品ユニット１、ワイヤハーネスＷＨは、熱脆弱部品２２等の電子部品２の耐久性を向上した上で、小型化することができる。
【００４４】
なお、上述した本発明の実施形態に係る電子部品ユニット、及び、ワイヤハーネスは、上述した実施形態に限定されず、特許請求の範囲に記載された範囲で種々の変更が可能である。
【００４５】
以上の説明では、電子部品ユニット１は、いわゆるパワーインテグレーションであるものとして説明したがこれに限らない。
【００４６】
以上の説明では、複数のリジッド部３１は、第１実装部としての電源系リジッド部３３と、第２実装部としての制御系リジッド部３４の２つを含んで構成されるものとして説明したがこれ限らず、３つ以上を含んで構成されてもよい。また、以上の説明では、基板３は、電力が入出力される端子４や発熱しやすい発熱部品２１を電源系リジッド部３３に設ける一方、熱に対する耐久性が低い熱脆弱部品２２を制御系リジッド部３４に設けることで、主な発熱源が設けられる領域と熱に弱い部品が設けられる領域とを基板３上で分割して区分け（ゾーニング）するものとして説明したがこれに限らない。
【００４７】
また、以上の説明では、基板３は、電源系リジッド部３３と制御系リジッド部３４とがほぼ垂直となるようにフレキシブル部３２が屈曲することで、短辺方向に沿った断面視（図６参照）にて全体として略Ｌ字型に構成されるものとして説明したがこれに限らない。基板３は、少なくともフレキシブル部３２が端子４側に屈曲した状態で筐体５に収容されていればよく、電源系リジッド部３３と制御系リジッド部３４とがなす角度が鈍角でもよいし鋭角でもよい。
【００４８】
また、以上の説明では、コネクタ６とコネクタ嵌合部５１ｈ、５１ｉ、５１ｊとの嵌合を解除するロック解除部６１ａ、６２ａ、６３ａが収容空間部５３側に位置するものとして説明したがこれに限らず、例えば、筐体５の外側に面していてもよい。
【符号の説明】
【００４９】
１    電子部品ユニット
２    電子部品
３    基板
４、４１、４２、４３    端子
５    筐体
６    コネクタ（接続部）
２１    発熱部品
２２    熱脆弱部品
３１    リジッド部（実装部）
３２    フレキシブル部（屈曲部）
３３    電源系リジッド部（第１実装部）
３４    制御系リジッド部（第２実装部）
５１ｈ、５１ｉ、５１ｊ    コネクタ嵌合部
５２ｂ    天井部（壁面）
５２ｃ    長辺側壁面（壁面）
５３    収容空間部
６１ａ、６２ａ、６３ａ    ロック解除部（解除部）
Ｗ    電線
ＷＨ    ワイヤハーネス
【図１】
2017022809.tif 000003
【図２】
2017022809.tif 000004
【図３】
2017022809.tif 000005
【図４】
2017022809.tif 000006
【図５】
2017022809.tif 000007
【図６】
2017022809.tif 000008